(57)【要約】【課題】容易に製造できる紙片収納用ホルダを提供する。【解決手段】１枚のシート体に、収納部片を形成する第１折曲線14と、収納部片を重ね合わせる基材部片を形成する第２折曲線16と、基材部片の縁部に重ね合わせる補強部片およびフラップ部片を形成する第３折曲線19とを設ける。このシート体12を第１折曲線14および第２折曲線16にて折曲することにより、収納部片と基材部片とを重ね合わせるとともに、収納部片の一部とフラップ部片とが重なるように補強部片と基材部片の縁部とを重ね合わせる。そして、第１折曲線14と交差する収納部片および基材部片の両側端部を溶着することにより収納部21を形成する。また、補強部片と基材部片の縁部とを溶着することにより補強部25およびフラップ部29を形成する。さらに、補強部25に例えばバインダ等の係合部材と係合可能な係合部26を設ける。【選択図】図１
2008284853.tif 000002
【特許請求の範囲】
【請求項１】
１枚のシート体に、
収納部片を形成する第１折曲線と、
この第１折曲線と平行でかつ前記収納部片を重ね合わせる基材部片を形成する第２折曲線と、
第２折曲線と平行でかつ前記基材部片の縁部に重ね合わせる補強部片およびフラップ部片を形成する第３折曲線とを備え、
このシート体を前記第１折曲線および前記第２折曲線にて折曲することにより、前記基材部片と前記収納部片とを重ね合わせるとともに、前記収納部片の一部と前記フラップ部片とが重なるように前記基材部片の縁部と前記補強部片および前記フラップ部片とを重ね合わせ、
前記第１折曲線と交差する前記収納部片および前記基材部片の両側端部を溶着することにより、この溶着された両側端部間に開口部が形成された収納部と、
前記補強部片と前記基材部片の縁部とを溶着して形成される補強部と、
前記フラップ部片にて形成され、前記収納部の開口部に重ね合わされるフラップ部と、
前記補強部に設けられた係合部と
を具備したことを特徴とする紙片収納用ホルダ。
【請求項２】
収納部には、この収納部を仕切るための仕切り部が設けられた
ことを特徴とする請求項１記載の紙片収納用ホルダ。
【発明の詳細な説明】
【技術分野】
【０００１】
本発明は、一枚のシート体から形成された紙片収納用ホルダに関する。
【背景技術】
【０００２】
紙片収納用ホルダは、例えば書類等の紙片を収納するものであり、一般的に矩形状の２枚の合成樹脂シートから形成される。
【０００３】
このような紙片収納用ホルダは、この紙片収納用ホルダの１側辺において、この紙片収納用ホルダを形成する２枚の合成樹脂シートの間に別の長尺状のシート部材を介在させて溶着した補強部が形成され、この補強部と交差する側辺のうちのいずれかに開口部を設け、前記補強部および前記開口部とは異なる側辺をそれぞれ溶着し、さらに、前記補強部に例えばバインダ等の係合部材に係合するための係合部が設けられて構成される。
【０００４】
このような紙片収納用ホルダでは、係合部を設けかつこの係合部によって例えばバインダ等の係合部材に確実に係合できるようするため、２枚の合成樹脂シートの間に別のシート部材を介在させて補強部を形成するので、製造工程が多く製造に手数が掛り、また別のシート部材を用意する必要があるので製造コスト上も好ましくない。
【０００５】
そして、紙片収納用ホルダにおいて、チューブ状に形成された合成樹脂からなるシート本体部の一側部を長手方向に沿って切断し、この切断により切り離された断面が略Ｕ字形の長尺部材を、再度シート本体部の切断部に被せて溶着することで補強部を形成し、この補強部に例えばバインダ等の係合部材に係合するための係合部を設け、チューブ状のシート本体部の長手方向に対して直交する対向側辺のうちの一方の側辺を開口状態のまま開口部とし、他方の側辺を溶着して構成することで、別のシート部材を用いることなく補強部を形成したものが知られている（例えば、特許文献１参照。）。
【特許文献１】特許第３３１５６６９号公報（第１−５頁、図７）
【発明の開示】
【発明が解決しようとする課題】
【０００６】
しかしながら、上述した特許文献１の紙片収納用ホルダでは、チューブ状のシート本体部から切り離された略Ｕ字形の長尺部分を、再度シート本体部の切り離された部分に被せて溶着することで補強部を形成するので、製造に手数が掛る問題があった。
【０００７】
また、この特許文献１の紙片収納用ホルダにおいて、フラップ部を設ける場合は、開口部近傍に別の部材であるフラップ部片を溶着してフラップ部を設ける必要があり、溶着工程の増加による溶着精度に起因した例えば溶着位置のずれ等の溶着誤差の発生の増加や、製造に必要な部材の種類の増加が考えられ、製造コスト上好ましくない。
【０００８】
本発明は、このような点に鑑みなされたもので、容易に製造できる紙片収納用ホルダを提供することを目的とする。
【課題を解決するための手段】
【０００９】
請求項１に記載された発明は、１枚のシート体に、収納部片を形成する第１折曲線と、この第１折曲線と平行でかつ前記収納部片を重ね合わせる基材部片を形成する第２折曲線と、第２折曲線と平行でかつ前記基材部片の縁部に重ね合わせる補強部片およびフラップ部片を形成する第３折曲線とを備え、このシート体を前記第１折曲線および前記第２折曲線にて折曲することにより、前記基材部片と前記収納部片とを重ね合わせるとともに、前記収納部片の一部と前記フラップ部片とが重なるように前記基材部片の縁部と前記補強部片および前記フラップ部片とを重ね合わせ、前記第１折曲線と交差する前記収納部片および前記基材部片の両側端部を溶着することにより、この溶着された両側端部間に開口部が形成された収納部と、前記補強部片と前記基材部片の縁部とを溶着して形成される補強部と、前記フラップ部片にて形成され、前記収納部の開口部に重ね合わされるフラップ部と、前記補強部に設けられた係合部とを具備した紙片収納用ホルダである。
【００１０】
請求項２に記載された発明は、請求項１に記載された紙片収納用ホルダにおいて、収納部には、この収納部を仕切るための仕切り部が設けられたものである。
【発明の効果】
【００１１】
請求項１に記載された発明によれば、一枚のシート体を折曲して溶着するだけで、収納部、補強部およびフラップ部を具備する紙片収納用ホルダを形成できるので容易に製造できる。
【００１２】
また、一枚のシート体から前記紙片収納用ホルダを形成することで、溶着工程の増加に伴う溶着誤差の発生の増加を防止でき、他の部材を用いることなく製造できるので、製造コスト上も良好である。
【００１３】
請求項２に記載された発明によれば、収納部に仕切り部が設けられたことで、前記収納部を仕切ることができるので、様々な紙片の収納に対応でき、用途を拡大することができる。
【発明を実施するための最良の形態】
【００１４】
以下、本発明を、図１および図２に示された一実施の形態を参照しながら詳細に説明する。
【００１５】
図１に示される紙片収納用ホルダ11は、例えば書類や写真等の紙片を収納するためのもので、図２に示される一枚のシート体12から形成される。
【００１６】
このシート体12は、収納部片13を形成する第１折曲線14と、この第１折曲線14と平行でかつ収納部片13を重ね合わせる基材部片15を形成する第２折曲線16と、この第２折曲線16と平行でかつ基材部片15の縁部に重ね合わせる補強部片17およびフラップ部片18を形成する第３折曲線19とを備える。
【００１７】
ここで、シート体12の素材は限定されないが、例えば透明な合成樹脂によってシート体12が形成されると、収納物が透視できるので容易に収納物が確認できるとともに、強度も良好であり、また、収納物が濡れ難くなるので、例えばレシピ等を収納してキッチン等の水周りで使用しても濡れて破損することがない。
【００１８】
このシート体12を第１折曲線14にて折曲して、基材部片15と収納部片13とを重ね合わせ、第１折曲線14と交差する収納部片13および基材部片15の両側端部を溶着することにより収納部21が形成される。
【００１９】
また、収納部片13の溶着された両側端部間の１側辺は溶着されず、この溶着されていない部分が収納部21における開口部22となり、この開口部22における側縁部の一部に円弧状の切り欠き部23を形成すると、収納物の出し入れが容易になるので好ましい。
【００２０】
なお、収納部21に、この収納部21を仕切るための仕切り部24を開口部22から直行方向に設けることで、様々な紙片の収納に対応でき、用途を拡大することができるので好ましい。
【００２１】
この仕切り部24の形成方法は限定されないが、例えば溶着により形成すると、他の部分の溶着と同時に形成できるので、製造が容易になり好ましい。
【００２２】
仕切り部24の長さは、収納部21を仕切ることができる長さであれば限定されず、またその形状も限定されず、例えば連続線状や破線状等で適宜選択できる。
【００２３】
そして、シート体12を第２折曲線16にて折曲して、収納部21の開口部22とフラップ部片18とが重なるように基材部片15の縁部と補強部片17およびフラップ部片18とを重ね合わせ、補強部片17と基材部片15の縁部とを溶着することで補強部25が形成される。
【００２４】
この補強部25には、係合部26が設けられ、この係合部26により紙片収納用ホルダ11が、例えばバインダ等の係合部材に係合される。
【００２５】
この係合部26の形状は限定されず、例えば円形状や矩形状の穴等が形成されると、例えばバインダ等の係合部材に係合し易いので好ましく、また、補強部25の外側縁部から係合部26に向かって切込部27を形成することで、係合部材から紙片収納用ホルダ11が係脱し易くなるとともに、例えばスパイラルリング等のような係合部材が開閉せず固定されたものであっても係脱し易いので好ましい。
【００２６】
なお、補強部25の外側縁部に切り欠き部28を設けると、例えばカレンダ等のような、吊り下げ可能でかつ回動可能に被係合体が係合される係合部材にも対応できるので好ましい。
【００２７】
さらに、補強部片17と基材部片15との溶着による補強部25の形成によって、シート体12において補強部片17の端縁側に形成されたフラップ部片18により、収納部21の開口部22に重ね合わされるフラップ部29が形成される。
【００２８】
このフラップ部29は、収納部21の開口部22に重ね合わさり、第３折曲線19により折曲することで、開口部22は開閉自在となっている。
【００２９】
このように開口部22に対してフラップ部29が設けられたことで、収納物の脱落を防止できるとともに、収納物を汚れ難くでき、例えば水等も収納部に浸入し難くできる。
【００３０】
なお、収納部21に仕切り部24が設けられた場合は、仕切られた収納部21毎にフラップ部29を開閉できるように、フラップ部29の対応部に切込部30を形成すると、収納物の収納が容易になり好ましい。
【００３１】
また、収納部21に収納物を出し入れする際に、フラップ部29を収納部21の中に入れ、フラップ部29が基材部片15に貼り付くような状態にすると、容易に収納物を出し入れできるので、フラップ部29の端縁を切り欠くことで、フラップ部が収納部21の中に入れ易くなり好ましい。
【００３２】
次に実施の形態の作用および効果を説明する。
【００３３】
図２に示されるような形状に形成された１枚のシート体12を、第１折曲線14および第２折曲線16を折曲することにより、収納部片13と基材部片15とを重ね合わせるとともに、収納部片13の一部とフラップ部片18とが重なるように補強部片17と基材部片15の縁部とを重ね合わせる。
【００３４】
そして、第１折曲線14と交差する収納部片13および基材部片15の両側端部を溶着することにより収納部21が形成され、この溶着された両側端部間の１側辺は、収納部21における開口部22となる。
【００３５】
また、補強部片17と基材部片15の縁部とを溶着することにより補強部25が形成され、この補強部25の形成に伴って、シート体12において補強部片17より端縁側に形成されたフラップ部片18により、収納部21の開口部22に重ね合わされるフラップ部29が形成される。
【００３６】
さらに、補強部25に、例えばバインダ等の係合部材に係合するための係合部26が設けられて紙片収納用ホルダ11が形成される。
【００３７】
このような紙片収納用ホルダ11は、１枚のシート体12を、第１折曲線14および第２折曲線16で折曲し、収納部片13の両側端部および補強部片17と基材部片15とを溶着するだけで、収納部21、補強部25およびフラップ部29を形成できるので容易に製造できる。
【００３８】
また、一枚のシート体12から紙片収納用ホルダ11を形成することで、溶着工程の増加に伴う溶着誤差の発生の増加を防止でき、他の部材を用いることなく製造できるので、製造コスト上も良好である。
【００３９】
収納部21において、収納部21の一部に仕切り部24を設けると、収納部21を仕切ることができ、例えば複数の紙片を並べて収納したり、様々な紙片の収納に対応したり等、用途を拡大することができる。
【００４０】
本発明は、例えば書類や写真、レシピ等の紙片を収納する紙片収納用ホルダに利用可能である。
【図面の簡単な説明】
【００４１】
【図１】本発明に係る紙片収納用ホルダの一実施の形態を示す正面図である。
【図２】同上紙片収納用ホルダの展開状態を示す平面図である。
【符号の説明】
【００４２】
11    紙片収納用ホルダ
12    シート体
13    収納部片
14    第１折曲線
15    基材部片
16    第２折曲線
17    補強部片
18    フラップ部片
19    第３折曲線
21    収納部
22    開口部
24    仕切り部
25    補強部
26    係合部
29    フラップ部
【図１】
2008284853.tif 000003
【図２】
2008284853.tif 000004